(57)【要約】【課題】  取付基準位置を確実に設定できる部品の取付構造の提供。【解決手段】  複数のボス部を有する部品を複数の同一クリップ１０を介して複数の取付孔が穿設されたパネルに取り付ける部品の取付構造において、部品の複数のボス部の内、取付基準となるボス部は、クリップの移動を規制する規制手段１を有し、複数のクリップ１０は、いずれも、パネルの取付孔に係着する脚部と、収納空洞とボス部の挿通孔を有する頭部と、該頭部の収納空洞内に収納される金属製のプッシュナットとを備え、上記頭部の収納空洞は、プッシュナットの外径よりも大きな内径に設定され、上記プッシュナットは、ボス部を挿入する内孔と、該内孔の孔縁に形成されてボス部の外周面に食い込む爪部とを有することにより、クリップの取付位置を規制できるので、取付基準位置が確実に設定でき、これにより、部品の取付状態が頗る良好となる。【選択図】  図８
2008088990.tif 000002
【特許請求の範囲】
【請求項１】
複数のボス部を有する部品を複数の同一クリップを介して複数の取付孔が穿設されたパネルに取り付ける部品の取付構造において、部品の複数のボス部の内、取付基準となるボス部は、クリップの移動を規制する規制手段を有し、複数のクリップは、いずれも、パネルの取付孔に係着する脚部と、収納空洞とボス部の挿通孔を有する頭部と、該頭部の収納空洞内に収納される金属製のプッシュナットとを備え、上記頭部の収納空洞は、プッシュナットの外径よりも大きな内径に設定され、上記プッシュナットは、ボス部を挿入する内孔と、該内孔の孔縁に形成されてボス部の外周面に食い込む爪部とを有することを特徴とする部品の取付構造。
【請求項２】
取付基準となるボス部が有する規制手段は、ボス部の外周においてクリップの頭部に接するように対向して設けられた少なくとも一対の規制壁からなることを特徴とする請求項１記載の部品の取付構造。
【請求項３】
一対の規制壁は、クリップの頭部形状に沿って湾曲していることを特徴とする請求項２記載の部品の取付構造。
【請求項４】
取付基準となるボス部が有する規制手段は、ボス部の付け根においてクリップの頭部の挿通孔に嵌合するように対向して設けられた少なくとも一対の規制壁からなることを特徴とする請求項１記載の部品の取付構造。
【請求項５】
取付基準となるボス部が有する規制手段は、クリップの脚部と頭部との境に挿通孔と連通するように設けられた規制凹部と、該規制凹部内に嵌入する長寸なボス部とからなることを特徴とする請求項１記載の部品の取付構造。
【発明の詳細な説明】
【技術分野】
【０００１】
本発明は、例えば、自動車のドアトリムの如き部品をクリップを介して車体パネルに取り付ける取付構造に関するものである。
【背景技術】
【０００２】
従来のこの種取付構造は、具体的には図示しないが、裏面に複数のクリップ座が形成されたドアトリムを複数のクリップを介して複数の取付孔が穿設された車体パネルに取り付けようとするもので、ドアトリムの各クリップ座は、一側面が開放されたボックス状を呈して、その上面側にクリップの頭部を上記開放面側から嵌着する嵌着溝を開設する構成となっている（例えば、特許文献１参照）。
【０００３】
そして、実際に、ドアトリムを車体パネルに取り付ける場合には、まず、ドアトリムの各クリップ座にクリップの頭部を嵌着する状態を得て、クリップの脚部を車体パネルの取付孔にそのまま係着すれば、これにより、ドアトリムが車体パネル側に簡単に取り付けられることとなるが、反面、ドアトリムの裏面に一側面が開放されたボックス状のクリップ座を形成することは、成形のための金型構造が自ずと複雑となると共に、設計上の自由度が制限されると言う問題点を有していた。
【０００４】
そこで、斯かる実情に鑑み、上記ボックス状のクリップ座に代えて、ドアトリムの裏面に複数の円筒状のボス部を形成して、該円筒状の各ボス部をクリップを介して車体パネルの取付孔に取り付ける改良型の取付構造が開発されている（例えば、特許文献２参照）。
【０００５】
尚、この改良型の取付構造に使用されるクリップは、車体パネルの取付孔に係着する脚部と、金属製のプッシュナットを収納する頭部とを備え、脚部は、対向する外周面に一対の係止肩を形成し、頭部は、内部にプッシュナットを収納する収納空洞を画成すると共に、該収納空洞と直交状態をもって連通する上記ボス部の挿通孔を形成する構成となっているが、特に、頭部の収納空洞に関しては、内部におけるプッシュナットの自由な移動を許容するために、その内径をプッシュナットの外径よりも大きくなるように設定してある。
【０００６】
そして、実際に、ドアトリムを当該クリップを介して車体パネルに取り付ける場合には、まず、プッシュナットを各クリップの頭部の収納空洞内にその入口から強制的に押し込んで、該プッシュナットを収納空洞の内部に抜け外れることなく移動可能に収納した後、頭部の挿通孔から収納空洞内にドアトリムのボス部を挿通すると、ボス部がプッシュナットの内孔内に挿入されると同時に、該内孔の孔縁に形成された爪部がボス部の外周面に食い込むので、これにより、ドアトリムのボス部側にクリップが先付けされる。
【０００７】
そこで、後は、ドアトリムのボス部に先付けされているクリップの脚部を車体パネルに予め穿設されている取付孔内に押し込めば、その一対の係止肩が取付孔の孔縁に弾性的に係止するので、これにより、ドアトリムが車体パネル側に取り付けられることとなる。又、この最終的な作業において、例えば、ドアトリムのボス部と車体パネルの取付孔の位置関係にズレが生じているような場合には、プッシュナットの収納空洞内での移動を得て、ボス部に対してクリップ自体が自由に移動して、当該ズレを吸収することができるので、ドアトリムの確実な取付状態が保障できることとなる。
【特許文献１】特開平８−２１６６８８号公報
【特許文献２】特開２００２−１３０２３３号公報
【発明の開示】
【発明が解決しようとする課題】
【０００８】
従って、改良型の取付構造の下では、金型構造が徒に複雑となるボックス状のクリップ座を形成する必要がなくなるので、金型構造の簡素化や設計上の自由度が図れるばかりが、ドアトリムのボス部と車体パネルの取付孔の位置ズレをも効果的に吸収できる利点を有することとなるが、今度は、以下の問題点が招来されることとなる。
【０００９】
即ち、一般に、複数のクリップを用いて、ドアトリムのような自動車部品を車体パネルに取り付ける場合には、工場における生産性やコスト面における経済性などの観点から、同一クリップの使用が求められている訳であるが、斯かる要求に応えて、上記改良型の取付構造の下で、複数の同一クリップを使用すると、全てのクリップがドアトリムのボス部に対して移動可能となっている関係で、取付基準位置が設定できないという問題点が生じる。
【課題を解決するための手段】
【００１０】
本発明は、斯かる改良型の取付構造が抱える課題を有効に解決するために開発されたもので、請求項１記載の発明は、複数のボス部を有する部品を複数の同一クリップを介して複数の取付孔が穿設されたパネルに取り付ける部品の取付構造において、部品の複数のボス部の内、取付基準となるボス部は、クリップの移動を規制する規制手段を有し、複数のクリップは、いずれも、パネルの取付孔に係着する脚部と、収納空洞とボス部の挿通孔を有する頭部と、該頭部の収納空洞内に収納される金属製のプッシュナットとを備え、上記頭部の収納空洞は、プッシュナットの外径よりも大きな内径に設定され、上記プッシュナットは、ボス部を挿入する内孔と、該内孔の孔縁に形成されてボス部の外周面に食い込む爪部とを有することを特徴とする。
【００１１】
請求項２記載の発明は、請求項１を前提として、取付基準となるボス部が有する規制手段は、ボス部の外周においてクリップの頭部に接するように対向して設けられた少なくとも一対の規制壁からなることを特徴とする。
【００１２】
請求項３記載の発明は、請求項２を前提として、一対の規制壁は、クリップの頭部形状に沿って湾曲していることを特徴とする。
【００１３】
請求項４記載の発明は、請求項１を前提として、取付基準となるボス部が有する規制手段は、ボス部の付け根においてクリップの頭部の挿通孔に嵌合するように対向して設けられた少なくとも一対の規制壁からなることを特徴とする。
【００１４】
請求項５記載の発明は、請求項１を前提として、取付基準となるボス部が有する規制手段は、クリップの脚部と頭部との境に挿通孔と連通するように設けられた規制凹部と、該規制凹部内に嵌入する長寸なボス部とからなることを特徴とする。
【発明の効果】
【００１５】
依って、請求項１記載の発明にあっては、部品のボス部に対して移動可能に先付けされる同一クリップを使用して、部品をパネルに取り付ける取付構造の下でも、取付基準となるボス部は、クリップの移動を規制する規制手段を有して、クリップの位置を確実に規制できるので、取付基準位置が簡単に得られ、これにより、部品の取付状態が頗る良好となる。
【００１６】
請求項２記載の発明にあっては、規制手段たる一対の規制壁の存在で、少なくとも、クリップの一方向への移動を規制できると共に、規制壁がボス部の外周にあるので、規制方向を目視のみで確認できる結果、作業性が良好となる。
【００１７】
請求項３記載の発明にあっては、一対の規制壁がクリップの頭部形状に沿って湾曲しているので、クリップの全方向の移動が規制できると共に、取付基準位置を目視のみで確認できる結果、やはり、作業性が良好となる。
【００１８】
請求項４記載の発明にあっては、規制手段がボス部の付け根においてクリップの頭部の挿通孔に嵌合する一対の規制壁からなっているので、規制手段を可及的に小さくできる。
【００１９】
請求項５記載の発明にあっては、規制手段がクリップ側に設けられる規制凹部と単なる長寸なボス部からなるので、規制壁などを別個に設ける必要がなくなり、より簡単な構造で、クリップの移動を確実に規制できる。
【発明を実施するための最良の形態】
【００２０】
本発明は、複数のボス部を有する部品を複数の同一クリップを介して複数の取付孔が穿設されたパネルに取り付ける部品の取付構造を前提として、部品の複数のボス部の内、取付基準となるボス部は、クリップの移動を規制する規制手段を有し、複数のクリップは、いずれも、パネルの取付孔に係着する脚部と、収納空洞とボス部の挿通孔を有する頭部と、該頭部の収納空洞内に収納される金属製のプッシュナットとを備え、上記頭部の収納空洞は、プッシュナットの外径よりも大きな内径に設定され、上記プッシュナットは、ボス部を挿入する内孔と、該内孔の孔縁に形成されてボス部の外周面に食い込む爪部とを有することにより、ボス部に対するクリップの移動を規制して、取付基準位置を確実に設定せんとするものである。
【実施例１】
【００２１】
以下、本発明を図示する好適な実施例に基づいて詳述すれば、第一実施例に係る取付構造も、裏面に複数の円筒状ボス部Ｂ１・Ｂ２を形成したドアトリムＰ１を複数の同一クリップ１０を介して複数の取付孔Ｈが穿設された車体パネルＰ２に取り付けることを前提とするものであるが、特徴とするところは、上記ドアトリムＰ１の複数のボス部Ｂ１・Ｂ２の内、取付基準となるボス部Ｂ１にクリップ１０の移動を規制する規制手段を設ける点にある。
【００２２】
これを詳しく説明すると、クリップ１０の一方向への移動を規制する必要がある場合には、図１に示す如く、取付基準となるボス部Ｂ１の外周に直線状を呈する一対の規制壁１を対向する状態をもって設けて、クリップ１０をドアトリムＰ１のボス部に先付けする時には、取付基準となるボス部Ｂ１の外周において、該各規制壁１を後述するクリップ１０の頭部１２に当接させることにより、規制壁１方向に対するクリップ１０の移動を規制する構成となす。従って、この場合には、規制壁１と直交する方向には、クリップ１０の移動が許容される。尚、図中、２は、規制壁１の背面側に一体に連設されて先端縁が湾曲するガイド片、３はボス部Ｂ１の付け根から放射線上に延設された４本の台座片で、この対向する２本の台座片３を利用して上記一対の規制壁１が連続して設けられている。
【００２３】
又、クリップの全方向への移動を規制する必要がある場合には、図２に示す如く、上記直線状を呈する一対の規制壁１をクリップ１０の頭部１２形状に沿った湾曲形状に成形して、クリップ１０をドアトリムＰ１のボス部に先付けする時には、取付基準となるボス部Ｂ１の外周において、この湾曲形状を呈する各規制壁１をクリップ１０の頭部１２に沿って当接させることにより、全方向に対するクリップ１０の移動を規制するか、或いは、具体的には図示しないが、規制の確実性を期すために、上記した４本の台座片３の全てに湾曲状を呈する規制壁１を設ける構成となす。
【００２４】
尚、取付基準となるボス部Ｂ１以外のボス部Ｂ２に関しては、図３に示す如く、規制壁１やガイド片２を一切設けずに、単に、４本の台座片３を放射線上に延設したものを使用するものとする。
【００２５】
更に、第一実施例の取付構造に供されるクリップ１０は、いずれも、図４に示す如く、上記車体パネルＰ２の各取付孔Ｈに係着する脚部１１と、収納空洞１８とボス部Ｂ１・Ｂ２の挿通孔１９を有する円形状の頭部１２と、該頭部１２の収納空洞１８内に収納される金属製のプッシュナット１３とを備え、この内、脚部１１と頭部１２とは、合成樹脂材料で一体に成形されている。
【００２６】
そして、脚部１１は、図５乃至図６Ａにも示す如く、その軸線方向に縦スリット１５を介して延びる２枚の弾性壁１４と傘状のフランジ１６とから成り、各弾性壁１４の対向する外周面に一対の係止肩１７を形成し、頭部１２は、図５乃至図６Ｂ・Ｃにも示す如く、内部にプッシュナット１３を収納する収納空洞１８を画成して、該収納空洞１８の入口１８ａは、プッシュナット１３の外径よりも小さくなるように設定し、収納空洞１８自体の内径は、プッシュナット１３の外径よりも大きくなるように設定する構成となっている。従って、この収納空洞１８の入口１８ａを強制的に通過したプッシュナット１３は、収納空洞１８の内部においては可能な範囲で自由に動けることとなる。
【００２７】
更に、頭部１２は、上記収納空洞１８と直交する状態をもって連通してドアトリムＰ１の各ボス部Ｂ１・Ｂ２を挿通する比較的大きな挿通孔１９を有して、該挿通孔１９の収納空洞１８側の孔縁に後述するプッシュナット１３のテーパー状爪部２３と内側において当接する円環状の突起２０を一体に形成する構成となっている。従って、上記したプッシュナット１３の収納空洞１８内での自由移動と相俟って、挿通孔１９の大きさの分だけ、クリップ１０自体が取付基準となるボス部Ｂ１以外のボス部Ｂ２に対しては動くことが可能となる。又、頭部１２の表面外周縁に円環状の凸壁２１を一体に立設して、該頭部１２の表面と上記各台座片３間に所定の空間を確保できる構成となしている。
【００２８】
金属製のプッシュナット１３は、図４に示す如く、その円板状の中心にドアトリムＰ１のボス部Ｂ１・Ｂ２を挿入する内孔２２を設けて、該内孔２２の孔縁にドアトリムＰ１のボス部Ｂ１・Ｂ２に食い込むテーパー状爪部２３を下方に傾斜させて形成する一方、内孔２２から外周に向けて切り欠いた開放口２４を開設して、該開放口２４の両側縁２４ａを外周に向けて徐々に拡開する構成となっている。
【００２９】
依って、斯かる構成の取付構造を用いて、ドアトリムＰ１を上記した同一のクリップ１０を介して車体パネルＰ２に取り付ける場合には、従来の改良型の取付構造と同様に、まず、プッシュナット１３をクリップ１０の頭部１２の収納空洞１８内にその入口１８ａから強制的に押し込んで、該プッシュナット１３を収納空洞１８の内部に抜け外れることなく移動可能に収納した後、頭部１２の挿通孔１９から収納空洞１８内にドアトリムＰ１のボス部を挿通すると、図７に示す如く（便宜上、取付基準とならないボスＢ２を図示）、該ボス部Ｂ２がプッシュナット１３の内孔２２内に挿入されると同時に、当該内孔２２縁に形成されたテーパー状爪部２３がボス部Ｂ２の外周面に食い込むので、これにより、ドアトリムＰ１のボス部Ｂ１・Ｂ２にクリップ１０が先付けされることとなる。
【００３０】
しかし、この場合に、取付基準となるボス部Ｂ１に関しては、図８Ａ・Ｂに示す如く、当該ボス部Ｂ１の外周において、直線状或いは湾曲状を呈する一対の規制壁１がクリップ１０の頭部１２に当接して、ボス部Ｂ１に対するクリップ１０の一方向に対する移動や全方向に対する移動を確実に規制して、その方向に対するクリップ１０の位置規制が行なわれることとなるので、これにより、取付基準となるボス部Ｂ１に対しては、移動可能なクリップ１０であっても、移動不可能な状態をもって先付けされることとなる。しかも、この場合には、規制壁１がボス部Ｂ１の外周にあるので、取付基準位置を目視のみで確認できる結果、作業性が良好となる。
【００３１】
尚、クリップ１０の先付けに際して、ドアトリムＰ１のボス部Ｂ１・Ｂ２を頭部１２の挿通孔１９からプッシュナット１３の内孔２２に挿入する時に、例え、プッシュナット１３が収納空洞１８内で移動可能であっても、収納空洞１８の内部に収納されたプッシュナット１３は、図７に示す如く、そのテーパー状爪部２３に対して挿通孔１９の孔縁に形成された円環状の突起２０が内側から当接して、その収納位置が予め自動的にセンタリングされているので、ボス部Ｂ１・Ｂ２の挿入作業が容易となる。又、プッシュナット１３自体を収納空洞１８内に押し込む場合には、プッシュナット１３は、その内孔２２から外周に向けて切り欠いた開放口２４を有し、且つ、該開放口２４の両側縁２４ａが外周に向けて徐々に拡開している関係で、当該突起２０と干渉することを効率よく低減できるので、プッシュナット１３の収納空洞１８内に対する収納作業も円滑に行なえる。
【００３２】
従って、後は、図９に示す如く（便宜上、取付基準とならないボス部Ｂ２を図示）、ドアトリムＰ１の各ボス部Ｂ１・Ｂ２に先付けされているクリップ１０の脚部１１を車体パネルＰ２に予め穿設されている取付孔Ｈに押し込むと、脚部１１の各弾性壁１４が内側に撓んで取付孔Ｈを通過して、各自の係止肩１７を取付孔Ｈの孔縁に弾性的に係止するので、これにより、複数のボス部Ｂ１・Ｂ２を有するドアトリムＰ１が複数の同一クリップ１０を介して複数の取付孔Ｈが穿設された車体パネルＰ２に確実に取り付けることが可能となる。しかも、この場合には、既述した如く、取付基準位置が既に設定されているので、ドアトリムＰ１の取付状態も頗る良好なものとなる。
【００３３】
尚、この最終的な取付作業において、特に、ドアトリムＰ１の取付基準とならないボス部Ｂ２と車体パネルＰ２の取付孔Ｈの位置関係にズレが生じている場合には、従来の改良型の取付構造と同様に、プッシュナット１３が頭部１２の収納空洞１８内で移動可能に収納されている関係で、プッシュナット１３の収納空洞１８内での積極的な移動を得て、クリップ１０がボス部Ｂ２に対して移動して、当該ズレを吸収することができるので、これによっても、ドアトリムＰ１の確実な取付状態が保障できる。
【００３４】
更に、この場合には、図示する如く、クリップ１０の頭部１２の表面外周縁に立設された円環状の凸壁２１の存在により、頭部１２の表面とドアトリムＰ１側の各台座片３間に所定の空間Ｓが確保されて、頭部１２の表面壁側を上方へ積極的に撓ませることができるので、プッシュナット１３が円環状の突起２０を乗り越えて移動する場合にも、スムーズに移動して、上記した位置ズレを効果的に吸収することが可能となる。
【実施例２】
【００３５】
次に、第二実施例に係る取付構造を説明すると、上記第一実施例が、取付基準となるボス部Ｂ１の外周に直線状又は湾曲状の規制壁１を設けたのに対して、該第二実施例のものは、図１０に示す如く、取付基準となるボス部Ｂ１の付け根に三角形状を呈する一対の規制壁１を対向する状態をもって設けて、クリップ１０をドアトリムＰ１のボス部に先付けする時には、取付基準となるボス部Ｂ１の付け根において、該各規制壁１をクリップ１０の頭部１２に開設された挿通孔１９に嵌合させることにより、全方向に対するクリップ１０の移動を規制する構成となしたものである。尚、この場合も、一対の規制壁１を設ける場合には、放射線上に延設される台座片３を利用するものとする。又、規制の確実性を期すために、対向する二対の規制壁１を設けることも可能である。
【００３６】
依って、斯かる第二実施例の下でも、取付基準となるボス部Ｂ１に関しては、当該ボス部Ｂ１の付け根において、三角形状を呈する一対の規制壁１がクリップ１０の頭部１２の挿通孔１９に嵌合して、ボス部Ｂ１に対するクリップ１０の全方向に対する移動を確実に規制するので、これにより、取付基準となるボス部Ｂ１に対しては、移動可能なクリップ１０でも、移動不可能な状態をもって先付けされることとなる。しかも、この場合には、規制壁１をボス部Ｂ１の付け根に設けたので、第一実施例のものと比較すると、規制手段を可及的に小さくできる利点がある。尚、その他の構成は、第一実施例と同様であるので、ここでは、その説明を省略する。
【実施例３】
【００３７】
最後に、第三実施例に係る取付構造を説明すると、上記した第一・第二実施例が取付基準となるボス部Ｂ１の周りに規制壁１を別に設けたのに対して、該第三実施例のものは、図１１に示す如く、クリップ１０の脚部１１と頭部１２との境に挿通孔１９と連通する規制凹部４を設ける一方、取付基準となるボス部Ｂ１を他のボス部Ｂ２よりも長寸となして、クリップ１０をドアトリムＰ１のボス部に先付けする時には、該長寸なボス部Ｂ１を上記規制凹部４に嵌入することにより、全方向に対するクリップ１０の移動を規制する構成となしたものである。
【００３８】
依って、斯かる第三実施例の下でも、取付基準となる長寸なボス部Ｂ１がクリップ１０側の規制凹部４内に嵌入して、ボス部Ｂ１に対するクリップ１０の全方向に対する移動を確実に規制するので、これにより、取付基準となるボス部Ｂ１に対しては、移動可能なクリップ１０でも、移動不可能な状態をもって先付けされることとなる。しかも、この場合には、規制壁１などをボス部Ｂ１側に別個に設ける必要がなくなるので、より簡単な構造で、クリップ１０の移動を確実に規制できる。尚、この第三実施例にあっても、その他の構成は、第一実施例と同様であるので、ここでは、その説明を省略する。
【産業上の利用可能性】
【００３９】
本発明に係る部品の取付構造は、部品のボス部に対して移動可能なクリップを使用したとしても、取付基準となるボス部に対しては、当該クリップの移動を規制できるので、取付基準位置が必要な自動車部品に応用すれば、頗る好都合なものとなる。
【図面の簡単な説明】
【００４０】
【図１】（Ａ）は本発明の第一実施例に係る取付構造に供される取付基準となるボス部に規制手段を設けた状態を示す要部斜視図、（Ｂ）は同底面図である。
【図２】（Ａ）は本発明の第一実施例に係る取付構造に供される取付基準となるボス部に別の規制手段を設けた状態を示す要部斜視図、（Ｂ）は同底面図である。
【図３】（Ａ）は本発明の第一実施例に係る取付構造に供される取付基準とならないボス部の構造を示す要部斜視図、（Ｂ）は同底面図である。
【図４】第一実施例に係る取付構造に供されるクリップを分解して示す斜視図である。
【図５】クリップの脚部と頭部のみを示す断面図である。
【図６】（Ａ）は図４のＡ−Ａ線断面図、（Ｂ）は図４のＢ−Ｂ線断面図、（Ｃ）は図４のＣ−Ｃ線断面図である。
【図７】ドアトリムの取付基準とならないボス部にクリップを先付けした状態を示す要部拡大断面図である。
【図８】（Ａ）は図１のボス部にクリップを先付けした状態を示す要部底面図、（Ｂ）は図２のボス部にクリップを先付けした状態を示す要部底面図である。
【図９】ドアトリムを取付基準とならないボス部を用いて車体パネルに取り付けた状態を示す断面図である。
【図１０】第二実施例に係る取付構造におけるクリップの規制手段を示す要部断面図である。
【図１１】第三実施例に係る取付構造におけるクリップの規制手段を示す要部断面図である。
【符号の説明】
【００４１】
Ｐ１    ドアトリム（部品）
Ｂ１    取付基準となるボス部（規制手段）
Ｂ２    取付基準とならないボス部
Ｐ２    車体パネル（パネル）
Ｈ      取付孔
Ｓ      空間
１      規制壁（規制手段）
２      ガイド片
３      台座片
４      規制凹部（規制手段）
１０    クリップ
１１    脚部
１２    頭部
１３    プッシュナット
１４    弾性壁
１５    縦スリット
１６    フランジ
１７    係止肩
１８    収納空洞
１９    挿通孔
２０    突起
２１    凸壁
２２    内孔
２３    テーパー状爪部
２４    開放口
２４ａ  開放口の側縁
【図１】
2008088990.tif 000003
【図２】
2008088990.tif 000004
【図３】
2008088990.tif 000005
【図４】
2008088990.tif 000006
【図５】
2008088990.tif 000007
【図６】
2008088990.tif 000008
【図７】
2008088990.tif 000009
【図８】
2008088990.tif 000010
【図９】
2008088990.tif 000011
【図１０】
2008088990.tif 000012
【図１１】
2008088990.tif 000013